(57)【要約】【課題】無駄な電力消費を削減することを可能とする移動通信装置、通信方法及び通信制御プログラムを提供すること。【解決手段】本発明にかかる移動通信装置１００は、接続先を示す接続先情報とその接続先に発呼を行う範囲を示す位置情報を関連付けた情報テーブル１４０と、移動通信装置の現在位置を示す位置情報を取得する位置情報取得手段１１０と、生体情報を取得する生体情報取得手段１２０とを備える。さらに、位置情報取得手段１１０が取得した位置情報に対応する接続先情報を情報テーブル１４０から取得するとともに、生体情報取得手段１２０により取得された生体情報に応じて、接続先を示す接続先情報により特定される接続先への発呼を決定する制御手段１３０をと備えるものである。【選択図】図１
2010199986.tif 000002
【特許請求の範囲】
【請求項１】
接続先を示す接続先情報とその接続先に発呼を行う範囲を示す位置情報を関連付けた情報テーブルと、
移動通信装置の現在位置を示す位置情報を取得する位置情報取得手段と、
生体情報を取得する生体情報取得手段と、
前記位置情報取得手段が取得した位置情報に対応する接続先情報を前記情報テーブルから取得するとともに、前記生体情報取得手段により取得された生体情報に応じて、前記接続先情報により特定される接続先への発呼を決定する制御手段とを備える移動通信装置。
【請求項２】
前記生体情報取得手段が取得した生体情報と予め登録された生体情報に基づいて認証を行う認証手段をさらに備え、
前記制御手段は、前記認証手段により認証された場合に前記接続先への発呼を決定することを特徴とする請求項１に記載の移動通信装置。
【請求項３】
前記生体情報取得手段は、耳形を接触させることにより生体情報を取得することを特徴とする請求項１又は請求項２に記載の移動通信装置。
【請求項４】
移動通信装置の現在位置を示す位置情報を取得するステップと、
生体情報を取得するステップと、
取得した位置情報が予め登録された位置情報と一致し、かつ、取得した生体情報が予め定めた要件を充足する場合に、あらかじめ登録された発呼先に対する発呼を決定するステップを備えた通信方法。
【請求項５】
前記発呼するステップは、取得した生体情報が予め登録された使用者の生体情報であると認証した場合に、前記発呼先に対して発呼することを特徴とする請求項４に記載の通信方法。
【請求項６】
耳形を接触させることにより前記生体情報を取得することを特徴とする請求項４又は５に記載の通信方法。
【請求項７】
移動通信装置の現在位置を示す位置情報を取得するステップと、
生体情報を取得するステップと、
取得した位置情報が予め登録された位置情報と一致し、かつ、取得した生体情報が予め定めた要件を充足する場合に、あらかじめ登録された発呼先に対する発呼を決定するステップとを移動通信装置の制御コンピュータに実行させる通信制御プログラム。
【発明の詳細な説明】
【技術分野】
【０００１】
本発明は移動通信装置、通信方法及び通信制御プログラムに関し、特に発信に伴う制御に関する。
【背景技術】
【０００２】
一般的に、携帯電話において発信する場合、不特定多数存在する送信先をキー入力により選択を行う。そのため、発信時に、送信先を誤入力してしまうこともある。このような状況において、携帯電話の操作を簡易とする技術が望まれている。
【０００３】
例えば特許文献１には、次に示す技術内容が開示されている。はじめに、携帯電話の有する基地局情報と、現在位置している基地局から報知される基地局情報の比較を行う。比較結果が同一となった場合は、あらかじめ登録された相手先に対して自動的に発呼する。
【０００４】
また、特許文献２には、次に示す技術内容が開示されている。携帯電話において、使用者の認証を行う際に、使用者の耳形状に従って、認証を行う。
【先行技術文献】
【特許文献】
【０００５】
【特許文献１】特開２０００−３５８２６９号公報
【特許文献２】特開２００１−３０９０２５号公報
【発明の概要】
【発明が解決しようとする課題】
【０００６】
上記技術は、次のような問題がある。自動発呼を行う場合でも、通話先の確認等を、携帯電話の液晶ディスプレイ上で行う。その際に、液晶ディスプレイの表示内容の確認を容易とするため、バックライトの点灯等を行う。しかし、自動発呼を促された場合においても、実際には通話を行わないこともあるため、液晶ディスプレイのバックライト点灯により、無駄な電力が消費されていた。また、最寄り駅から自宅への電話等、特定の場所から特定の人に電話する場合、電話番号は常に固定であるにも関わらず、通話先の確認を行うことにより、液晶ディスプレイのバックライト点灯や液晶ディスプレイ表示のため、無駄に電力を消費していた。
【０００７】
本発明の目的は、このような問題点を解決するためになされたものであり、無駄な電力消費を削減することを可能とする移動通信装置、通信方法及び通信制御プログラムを提供することを目的とする。
【課題を解決するための手段】
【０００８】
本発明にかかる移動通信装置は、接続先を示す接続先情報とその接続先に発呼を行う範囲を示す位置情報を関連付けた情報テーブルと、移動通信装置の現在位置を示す位置情報を取得する位置情報取得手段と、生体情報を取得する生体情報取得手段と、前記位置情報取得手段が取得した位置情報に対応する接続先情報を前記情報テーブルから取得するとともに、前記生体情報取得手段により取得された生体情報に応じて、前記接続先情報により特定される接続先への発呼を決定する制御手段を備えるものである。
【０００９】
また、本発明にかかる通信方法は、移動通信装置の現在位置を示す位置情報を取得するステップと、生体情報を取得するステップと、取得した位置情報が予め登録された位置情報と一致し、かつ、取得した生体情報が予め定めた要件を充足する場合に、あらかじめ登録された発呼先に対する発呼を決定するステップを備えるものである。
【００１０】
また、本発明にかかる通信制御プログラムは、移動通信装置の現在位置を示す位置情報を取得するステップと、生体情報を取得するステップと、取得した位置情報が予め登録された位置情報と一致し、かつ、取得した生体情報が予め定めた要件を充足する場合に、あらかじめ登録された発呼先に対する発呼を決定するステップを移動通信装置の制御コンピュータに実行させるものである。
【発明の効果】
【００１１】
本発明により、無駄な電力消費を削減することができる移動通信装置、通信方法及び通信制御プログラムを提供することができる。
【図面の簡単な説明】
【００１２】
【図１】実施の形態１にかかる移動通信装置の構成図である。
【図２】実施の形態１にかかる移動通信装置の処理を示すフローチャートである。
【図３】実施の形態１にかかる移動通信装置の処理を示すフローチャートである。
【図４】実施の形態２にかかる移動通信装置の構成図である。
【図５】実施の形態２にかかる移動通信装置の処理を示すフローチャートである。
【図６】実施の形態１および２にかかる移動通信装置の詳細な構成図である。
【図７】実施の形態１および２にかかる移動通信装置の発信情報の事前登録処理を示すフローチャートである。
【図８】実施の形態１および２にかかる移動通信装置の認証情報の事前登録処理を示すフローチャートである。
【発明を実施するための形態】
【００１３】
以下、図面を参照して本発明の実施の形態について説明する。説明の明確化のため、以下の記載及び図面は、適宜、省略、及び簡略化がなされている。また、様々な処理を行う機能ブロックとして図面に記載される各要素は、ハードウェア的には、ＣＰＵ、メモリ、その他の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００１４】
（実施の形態１）
図１は本発明の実施の形態１にかかる移動通信装置の構成を示す図である。移動通信装置１００は、位置情報取得手段１１０と、生体情報取得手段１２０と、制御手段１３０と、情報テーブル１４０を備えている。移動通信装置１００は、例えば、携帯電話端末、ＰＨＳ（Ｐｅｒｓｏｎａｌ  Ｈａｎｄｙ−ｐｈｏｎｅ  Ｓｙｓｔｅｍ）端末等、通信機能を備えた装置を示す。
【００１５】
位置情報取得手段１１０は、移動通信装置１００が現在位置している情報を示す位置情報を取得する。取得した位置情報は制御手段１３０に出力する。ここで、位置情報は、例えば、移動通信装置１００が現在通信を行っている基地局情報やＧＰＳ（Ｇｌｏｂａｌ  Ｐｏｓｉｔｉｏｎｉｎｇ  Ｓｙｓｔｅｍ）により取得した情報等である。
【００１６】
生体情報取得手段１２０は、移動通信装置１００が感知した生体情報を取得する。生体情報取得手段１２０は、取得した生体情報を制御手段１３０に出力する。ここで、生体情報には、移動通信装置に接触することにより取得することが可能な接触情報と、移動通信装置に接触することなしに、取得することが可能な非接触情報がある。接触情報には、耳形、指紋、掌等の情報が含まれる。非接触情報には、虹彩、音声、網膜等の情報が含まれる。
【００１７】
制御手段１３０は、位置情報取得手段１１０より取得した位置情報から、その位置情報に対応する発呼先を示す電話番号を取得する。制御手段１３０は、通信制御プログラムに基づいて動作する制御コンピュータ、例えばマイクロプロセッサユニット、により構成される。具体的には、位置情報取得手段１１０より取得した位置情報を、情報テーブル１４０に出力を行う。ここで、情報テーブル１４０は、移動通信装置１００を操作する者が、自動的に発呼を希望するエリアを特定する位置情報と、発呼先を示す電話番号を対応付けた情報を保持している。制御手段１３０から位置情報を取得した情報テーブル１４０は、取得した位置情報が、保持していた位置情報と一致する場合、その位置情報に対応付けられた電話番号を制御手段１３０に出力を行う。生体情報取得手段１２０が取得した生体情報と、発呼先の電話番号を取得した制御手段１３０は、取得した電話番号宛てに発呼することを決定する。
【００１８】
次に、図２を用いて、本発明の実施の形態１にかかる移動通信装置の流れにつき説明する。位置情報取得手段１１０は、移動通信装置１００が現在位置している情報を示す位置情報を取得する（Ｓ１０）。位置情報取得手段１１０は、周期的に位置情報を取得するようにしてもよく、もしくは、現在通信している基地局が変更した場合に、位置情報を示す基地局情報を取得するようにしてもよい。
【００１９】
次に、制御手段１３０は、位置情報取得手段１１０が取得した位置情報が、情報テーブル１４０に登録されているか否かを検索する（Ｓ１１）。情報テーブル１４０には、移動通信装置１００を操作する者が、自動的に発呼を希望するエリアと、発呼先を示す電話番号を対応付けた情報が記憶されている。位置情報取得手段１１０が取得した位置情報が、情報テーブル１４０に登録されていなかった場合には、処理を終了する。位置情報取得手段１１０が取得した位置情報が、情報テーブル１４０に登録されている場合には、制御手段１３０は、その位置情報に対応付けられている電話番号を取得する（Ｓ１２）。ここで、制御手段１３０は、取得した位置情報が、直前に保持していた位置情報と異なる場合にのみ、情報テーブル１４０に対して、取得した位置情報が登録されているか否かを検索してもよい。
【００２０】
次に、制御手段１３０は、生体情報取得手段１２０から、生体情報を取得する（Ｓ１３）。生体情報取得手段１２０が取得した生体情報と、発呼先の電話番号を取得した制御手段１３０は、取得した電話番号宛てに発呼することを決定する（Ｓ１４）。ここで、制御手段１３０は、生体情報取得部１２０から、生体情報を取得しなかった場合は、処理を終了する。このような状況は、移動通信装置１００を操作する者が、事前に登録していた位置に属することとなったが、発呼の契機となる生体情報を入力しなかった場合が想定される。
【００２１】
以上説明したように、本発明の実施の形態１にかかる移動通信装置は、事前に登録したエリアに、移動通信装置１００が進入した場合に、生体情報の入力を契機に、自動的に発呼処理を行うことができる。さらに、生体情報の入力を契機に、自動的に発呼処理を行うことにより、移動通信装置を操作する者は、液晶画面等を使用した操作を行う必要はなく、液晶画面を操作するために必要な、バックライトの点灯が不要となる。これにより、無駄な電力消費を削減することができる。
【００２２】
また、移動通信装置１００は、発呼を希望する位置に属したことを、移動通信装置１００を操作する者に対して通知し、生体情報の入力を促すことも可能である。移動通信装置１００を操作する者に対する通知方法としては、バイブレータを振動させることにより通知するか、もしくは、音を出力することにより通知することがあげられる。
【００２３】
次に、図３を用いて、本発明の実施の形態１にかかる移動通信装置の他の処理例について説明する。図３に示す処理は、位置情報取得手段が、位置情報を取得する前に、生体情報取得手段１２０が、生体情報を取得する（Ｓ２０）ことが、図２で説明した処理と異なる。それ以後の処理は、図２と同様であるため説明を省略する。
【００２４】
図３に示す処理では、生体情報取得手段１２０が、生体情報を取得し（Ｓ２０）、制御手段１３０に生体情報を出力する。生体情報を取得した制御手段１３０は、位置情報取得手段１１０に、位置情報の取得を要求する信号を出力する。その後、位置情報取得手段１１０は、位置情報の取得を行う（Ｓ２１）。
【００２５】
以上説明したように、制御部１３０が、生体情報を取得するまで、位置情報取得手段１１０は、位置情報の取得を行わないため、位置情報を取得する処理を減らすことができる。これにより、移動通信装置１００の全体的な処理負荷を低減させることができる。
【００２６】
（実施の形態２）
次に、図４を用いて、本発明の実施の形態２にかかる移動通信装置の構成図を説明する。移動通信装置１００は、位置情報取得手段１１０と、生体情報取得手段１２０と、制御手段１３０と、情報テーブル１４０と、通信手段１５０と、認証手段１６０を備えている。位置情報取得手段１１０と、生体情報取得手段１２０と、制御手段１３０と、情報テーブル１４０は、図１と同様の構成であるため説明を省略する。
【００２７】
生体情報取得手段１２０は、生体情報を取得する。生体情報取得手段１２０は、取得した生体情報を、制御手段１３０に出力する。生体情報を取得した制御手段１３０は、取得した情報を認証手段１６０に出力する。認証手段１６０は、事前に登録された、移動通信装置１００を操作する者の生体情報を保持している。認証手段１６０は、取得した生体情報と保持していた生体情報が一致するか否かを判断し、認証を行う。認証手段１６０は、認証結果を、制御手段１３０に出力する。制御手段１３０は、認証結果ＯＫを示す信号を取得した場合に、取得した電話番号宛てに発呼することを決定する。
【００２８】
通信手段１５０は、制御手段１３０から発呼の実行を決定する信号を取得した場合に、制御手段１３０から、電話番号を取得し、発呼を実行する。また、通信手段１５０は、基地局との通信制御を行うための信号を、電波信号に変換し、基地局からの電波信号を、移動通信装置１００において、制御可能な信号に変換を行う。
【００２９】
次に、図５を用いて、本発明の実施の形態２にかかる移動通信装置の処理の流れにつき説明する。生体情報取得手段１２０は、生体情報を取得する（Ｓ３０）。生体情報取得手段１２０は、取得した生体情報を制御手段１３０に出力する。生体情報を取得した制御手段１３０は、認証手段１６０に、生体情報を出力する。認証手段１６０は、事前に登録されている生体情報と、制御手段１３０から取得した生体情報を、比較し、認証を行う（Ｓ３１）。事前に登録されている生体情報と、制御手段１３０から取得した生体情報が一致する場合、認証手段１６０は、制御手段１３０に対して、認証結果ＯＫを示す信号を出力する。その後の処理は、図３と同様であるため、説明を省略する。事前に登録されている生体情報と、制御手段１３０から取得した生体情報が一致しない場合、認証手段１６０は、制御手段１３０に対して、認証結果ＮＧを示す信号を出力し、処理を終了する。
【００３０】
なお、図２と同様に、生体情報取得手段１２０は、位置情報を取得後に、生体情報を取得してもよい。
【００３１】
以上説明したように、本発明の実施の形態２にかかる移動通信装置は、生体情報を用いた認証を行うことで、事前に登録した者以外の者による移動通信装置１００の操作を防止することができる。
【００３２】
また、本発明の実施の形態１又は２において、生体情報として、耳形情報を用いることができる。耳形情報を用いることにより、移動通信装置１００を操作する者は、移動通信装置１００を耳のあたりに位置させることにより、発呼を行うこととなる。これにより、移動通信装置１００を操作する者は、通話を行うために、自然な体勢で発呼動作を行うことができる。さらに、ボタン操作による電話番号の入力を行わないことから、簡易な操作で発呼を実現することができる。
【００３３】
次に、図６を用いて、本発明の実施の形態１及び２にかかる移動通信装置の詳細な構成について説明する。移動通信装置１００は、キー入力手段１７０と、音声入力手段１８０と、音声出力手段１９０と、表示部２００を備える。その他の構成は、図１又は図４と同様であるため説明を省略する。
【００３４】
キー入力手段１７０は、ボタン、タッチパネル等を利用して入力されるキー入力信号から、どのキーが押下されたのかを認識する。キー操作により入力された電話番号を、キー入力手段が取得し、制御手段１３０へ出力する。制御手段１３０は、情報テーブル１４０に出力することにより、通信する相手先の電話番号を情報テーブル１４０に格納する。又は、制御手段１３０は、取得した電話番号を通信手段１５０に出力し、通信手段１５０は、発呼を行う。
【００３５】
音声入力手段１８０は、携帯電話の利用者が、音声を入力した場合に、音声を送話信号に変換し、制御手段へ出力する。例えば、マイク等である。音声出力手段１９０は、制御手段１３０から取得した受話信号を、音声に変換する。例えば、スピーカー等である。表示手段２００は、キーを押下する際に、押下したキーの情報を表示等するものである。例えば、液晶ディスプレイ等である。
【００３６】
次に、図７を用いて、情報テーブルの事前登録にかかる処理の流れにつき説明する。位置情報取得手段１１０は、移動通信装置１００を操作する者が、発呼を希望する位置において、位置測位を実施することにより、発呼を希望する位置を示す位置情報を入手する（Ｓ４０）。制御手段１３０は、取得した位置情報を、情報テーブル１４０に格納する。
【００３７】
次に、移動通信装置１００を操作する者は、発呼を希望する位置において、通信する相手先の電話番号を入力する（Ｓ４２）。入力された電話番号は、情報テーブル１４０に格納された位置情報と関連づけて、情報テーブル１４０に格納される（Ｓ４３）。
【００３８】
次に、図８を用いて、生体情報の事前登録にかかる処理の流れにつき説明する。図８では、生体情報として耳形情報を用いた場合の動作について説明を行う。移動通信装置１００を操作する者は、生体情報取得手段１２０を全面に配置した液晶ディスプレイに、耳形を接触させる。これにより、移動通信装置１００を操作する者の耳形情報を取得する（Ｓ５０）。生体情報取得手段１２０は、取得した耳形情報を制御手段１３０に出力する。制御手段１３０は、取得した耳形情報を認証手段１６０に出力し、耳形情報を認証手段１６０にて保持する（Ｓ５１）。
【００３９】
以上の説明は、本発明の実施の形態を説明するものであり、本発明が以上の実施の形態に限定されるものではない。また、当業者であれば、以上の実施の形態の各要素を本発明の範囲において容易に変更、追加、変換することが可能である。
【符号の説明】
【００４０】
１００  移動通信装置
１１０  位置情報取得手段
１２０  生体情報取得手段
１３０  制御手段
１４０  情報テーブル
１５０  通信手段
１６０  認証手段
１７０  キー入力手段
１８０  音声入力手段
１９０  音声出力手段
２００  表示手段
【図１】
2010199986.tif 000003
【図２】
2010199986.tif 000004
【図３】
2010199986.tif 000005
【図４】
2010199986.tif 000006
【図５】
2010199986.tif 000007
【図６】
2010199986.tif 000008
【図７】
2010199986.tif 000009
【図８】
2010199986.tif 000010